(57)【要約】【課題】ユニット階段に関する、作業性、居住性、安全性、経済性をバランスよく保証する。【解決手段】階段本体を少なくとも四本の柱材を介して固定支持することによって成形した階段ユニットを用い、ユニットハウスの壁部と階段ユニットの適宜部位とを、振動吸収可能な連結部材を介して接続する。柱材は、その基底部をアンカー部材を介して基礎コンクリートに固定し、上端部を適宜部材を介してユニットハウスの梁材に固定することが望ましい。階段ユニットは、階段本体と踊り場とを別体として成形する場合がある。【選択図】    図１
2004190303.tif 000002
【特許請求の範囲】
【請求項１】
ユニットハウスに対して階段を設置する構造であって、
階段本体を少なくとも四本の柱材を介して固定支持することによって成形した階段ユニットを用い、
ユニットハウスの壁部と階段ユニットの適宜部位とを、振動吸収可能な連結部材を介して接続することを特徴とするユニットハウスの階段設置構造。
【請求項２】
階段ユニットの柱材は、基底部をアンカー部材を介して基礎コンクリートに固定し、上端部を適宜部材を介してユニットハウスの梁材に固定することを特徴とする請求項１記載のユニットハウスの階段設置構造。
【請求項３】
階段ユニットは、階段本体と踊り場とを別体で成形することを特徴とする請求項１または請求項２記載のユニットハウスの階段設置構造。
【請求項４】
階段ユニットは、一階部分と二階部分とを別体で成形することを特徴とする請求項１ないし請求項３記載のユニットハウスの階段設置構造。
【発明の詳細な説明】
【０００１】
【発明の属する技術分野】
本発明は、ユニットハウスに設ける階段の設置構造に係り、とくにユニット化した階段の取り付けの構造技術に関する。
【０００２】
【従来の技術】
ユニットハウスは、鉄骨ラーメン構造のボックス型のプレハブユニットを用いて構築する。図５に示すように、プレハブユニット１は、鉄骨材２を用いて成形したボックス型フレームに、適宜構造の壁パネル材３を配することによってユニット単位での強度を保証する。
【０００３】
符号４は、壁パネル材３の強度低下を防止する取付金属線である。取付金属線４は、プレハブユニット１の剛性に直接寄与することが少ない。このため部屋の出入り口などでは取付金属線４を省略し、壁パネル材３の一部も切除してドア開口や窓開口を設ける。
【０００４】
このようなプレハブユニット１を用いた住宅は、例えば図６に示すような全体構造をとる。建築コストが安く工期も短縮できるため、共同住宅や二世帯住宅のように複数の世帯が一緒に生活するタイプの住宅構造として利用される。
【０００５】
従来、このようなユニットハウスに階段を設ける場合は、次のような二通りの構造を用いた。
【０００６】
第一は、図７に示すように、プレハブユニット１の階段設置場所に四本の支柱６を立設し、支柱６を壁パネル材３に対して固定する。また梁７を掛け渡す。その上で、四本の支柱６と梁７を利用して階段本体５を支柱６に対して固定する。支柱６は壁パネル材３に直接固定することを前提とするため、支柱６は壁パネル材３に密接させてある。これが従来の一般的な階段構造である。
【０００７】
第二は、居室を構成する各プレハブユニット（１）と同様の構造原理で階段を工場生産し、ラーメン構造（２）と壁パネル材（３）をもった階段ユニット（９）を、図８に示すように、ユニットハウスの階段設置個所（Ｓ１）に嵌め込む工法をとる（例えば特開平０６−３４６５１７号）。
【０００８】
この第二の階段構造によれば、階段ユニットを予め工場生産できるので、原理的には第一の階段構造に較べて工期を短縮できる可能性が高い。
【０００９】
【発明が解決しようとする課題】
ところで、このような従来のユニットハウスの階段構造は、以下のような問題がある。
【００１０】
図７に示した第一の階段構造は、支柱（６）を壁パネル材（３）に直接固定するため、階段使用時の振動や音が壁パネル材（３）を介して居室（プレハブユニット内空間）に直接伝わることから、短時間にせよ平穏な生活を妨げる不快な騒音や振動感が日常的に繰り返され、実生活レベルの快適を妨げる大きな原因となる。
【００１１】
また支柱（６）を壁パネル材（３）に直接固定する構造をとると、壁パネル材（３）の塗装工事を待って階段を設置する必要が生じるなど、作業性の迅速が図れない。しかも壁パネル材（３）に密着するように立設する支柱（６）の裏面塗装は無理であるから、階段の支柱（６）まわりの仕上げの見栄えも必然的に悪くなる。
【００１２】
建物全体の安全性にも問題がある。もともとユニットハウスは、独立成形したプレハブユニット（１）の各々に所定の強度をもたせる構造であるが、壁部（３）に余分な外力が加わったときの強度は計算の外にある。従って、このようなプレハブユニット（１）の壁パネル材（３）に階段の支柱（６）を固定すると、地震のような大きな揺れが起こったときには、壁パネル材（３）の破損に留まらず、鉄骨を用いたプレハブユニット（１）そのものの損壊を招く可能性が残る。
【００１３】
一方、図８に示した第二の階段構造は、このような問題は解消できる。階段ユニット自体が、ボックス型の鉄骨構造と構造用パネルを用いた壁によって高い強度を得ているからである。
【００１４】
しかし、鉄骨と壁構造によるボックス型の階段ユニットにより作業効率を高め強度を保証すると云っても、実際の作業現場においては無視できない深刻な問題を惹起する。
【００１５】
それは、ボックス型に成型する階段ユニットの寸法の問題である。ボックス型の階段ユニット（特開平０６−３４６５１７号）は、作業効率や強度の点では優れるが、ユニットハウスの階段設置場所に階段ユニットを嵌め込む段になって、寸法の狂いから階段ユニットが入らない場合もある。居室と階段を同一構造として相互にジョイントするため、嵌め込む階段ユニットのサイズには寸法誤差は許されないからである。
【００１６】
寸法誤差に起因する作業ミスを防ぐには、ユニット製造時の厳重な品質管理が必要であるが、工事の迅速、大量生産といった事情から必ずしもすべてが設計通りの寸法にぴったりと仕上がるわけではない。寸法誤差に基づく工事の遅延や経済損失は多くの場合、施工業者、施主、住人等のさまざまな負担となってはね返る。
【００１７】
そこで本発明の目的は、ユニットハウスに設けるユニット階段に関する、作業性、居住性、安全性、経済性をバランスよく保証する点にある。
【００１８】
【課題を解決するための手段】
前記目的を達成するため、本発明に係るユニットハウスの階段設置構造は、階段本体を少なくとも四本の柱材を介して固定支持することによって成形した階段ユニットを用い、ユニットハウスの壁部と階段ユニットの適宜部位とを、振動吸収可能な連結部材を介して接続する（請求項１）。
【００１９】
柱材は、その基底部をアンカー部材を介して基礎コンクリートに固定し、上端部を適宜部材を介してユニットハウスの梁材に固定することが望ましい（請求項２）。また前記階段ユニットは、階段本体と踊り場とを別体として成形する場合があり（請求項３）、一階部分と二階部分を別体として成形する場合がある（請求項４）。
【００２０】
【作用】
請求項１に係るユニットハウスの階段設置構造は、ユニット化した階段を利用するが、階段を構成する支柱は、壁パネル材に固定しない。支柱間の寸法をやや小さく設計して支柱を適宜構造で自立させることにより、支柱と壁パネル材とを構造の報償の上では無関係とする。昇降時の横揺れを軽減するため、振動吸収可能な連結部材を介して壁と連絡するが、階段の上り下りの振動や音がそのまま壁に伝わる従来の構造と異なり、減衰振動の一部が壁に伝わるだけなので、居室の静寂は高く保証できる。
【００２１】
また振動吸収可能な連結部材を設けることにより、地震の際の激しい揺れが生じてもプレハブユニット（１）に階段の荷重がそのまま加わることがなくなり、居室の安全を確保できる。
【００２２】
本発明に係る階段構造は、支柱を自立させる構造である。従って、設置に際して壁パネル材（３）との隙間を大きくとっても構わない。寸法ぴったりでなければ工事ができず外観品質にも好ましくない影響を与えた従来の工法と較べ、十分な寸法余裕をもって製造できるため、ユニット製品の利点である工期短縮、経済性を確実に保証できる。
【００２３】
また支柱自立型とした結果、従来の階段構造では実現が難しかったデザインの自由性が格段に向上する。従来の階段構造では、階段の上り下りに伴う揺れや音の問題で、あるいは工事のやり直しを嫌う経済性の問題で、階段のデザインは大きく制約されていた。しかし本発明によれば、これらの問題は確実に解消されるため、階段デザインの自由度も向上し、ひいてはユニットハウス全体の外観品質を向上させることが可能となる。
【００２４】
尚、支柱の自立は、下端を基礎コンクリートにアンカー固定し、上端を梁材に固定するのが最も簡単である（請求項２）。また階段本体と踊り場とを別体としてユニット化すれば、搬送性、作業性が向上する（請求項３）。階段本体と踊り場のユニットが大きい場合等、搬送がしにくい場合は、一階部分と二階部分を別体のユニットとして成形し、現場において支柱を連結して一つの階段本体ユニットまたは踊り場ユニットとすることが望ましい。
【００２５】
【発明の実施の形態】
図１〜図４は、本発明に係るユニットハウスの階段設置構造を例示するものである。
【００２６】
図３は、四本の支柱１１を利用して階段本体１２と手摺り１４を取り付けた階段ユニット１０を例示するものである。１６は、支柱１１の上端部と中央部（二階に相当する部分）に配した補強フレームで、例えば、支柱１１に掛け渡した枠材１７によって構成する。階段本体１２のデザインは自由である。
【００２７】
図４は、四本の支柱２１を利用した踊り場のユニット２０を例示するものである。踊り場のユニット２０は、支柱２１の略中間部に設けた踊り場２２と、支柱２１の上端部に配した補強フレーム２６とによって構成する。踊り場２２は、四本の支柱２１に掛け渡した踊場用の枠材２４と、この枠材２４を利用して載置固定した十分な強度のあるパネル材（鋼板等）２５をそなえ、仕上げ時にはパネル材２５の上に適宜の化粧を施す。例えばゴムタイル、樹脂タイル、化粧ブロック等である。補強フレーム２６は、例えば、支柱２１に掛け渡した枠材２７によって構成する。２９は、転落事故防止用のフェンスである。
【００２８】
踊り場２２は、上階（例えば二階）の居住者の廊下となる部分であるから、階段本体１２を登り切った位置に踊り場２２が位置するよう、組み合わせる二つのユニット（１０、２０）は、高さ調整（位置調整）を行っておく。
図１、図２は、二つのユニット（１０、２０）を設置する場合を例示するものである。３０は、プレハブユニットである。
【００２９】
階段用のユニット（１０、２０）を構成する四本の支柱１１、２１は、プレハブユニット３０の外壁面３２から十分な離隔距離をもつよう、左右前後の寸法を設計し、外壁面３２と支柱１１、２１との間には、十分な寸法余裕、例えば、５０〜１００ｍｍ程度の隙間Ｓが出来るようにしておく。
【００３０】
支柱１１、２１の固定は、プハブユニット３０の外壁面３２に振動が直接伝わらない構造であれば適宜の設計構造をとることができる。最も簡単な方法は、例えば、支柱１１、２１の下端部を基礎コンクリート３４に適宜のアンカー部材を介して固定し、上端部を適宜部材を介してユニットハウスの梁材に固定する。このような支柱１１、２１の固定により、支柱１１、２１は十分な強度をもって自立する。
【００３１】
しかしながら、階段は居住者等の上り下りに伴って振動が生ずるため、構造強度的には問題がなくても階段に揺れが生ずるのは好ましくない。そこで階段用のユニット（１０、２０）の使用品質を向上させるため、隙間Ｓに振動吸収可能な連結部材（いわゆるエキスパンションジョイント）３８を配し、このエキスパンションジョイント３８によって、支柱１１、２１と外壁面３２とを連結しておく。
【００３２】
エキスパンションジョイント３８は、例えば伸縮式金物、スライド式金物、コイルバネ、振動吸収樹脂等を利用して二つの部材間を連絡するものである。これらは適宜組み合わせて使用しても良い。例えば、支柱１１、２１の部分には伸縮式金物、踊り場の床（２５）周囲三方にはスライド式金物と振動吸収ゴムを併用する等である。
【００３３】
従って、かかる構造によれば、プレハブユニット３０の階段用空間にユニット式の階段を設置するに際し、十分な隙間Ｓをもつよう設計した階段用のユニット（１０、２０）を利用し、階段用のユニット（１０、２０）の支柱１１、２１を自立させた後、エキスパンションジョイント３８を介して支柱１１、２１と外壁面３２とを連結するから、階段使用時の振動や騒音は、プハブユニット３０の外壁面３２に直接伝達されない。これにより、居住性の問題である音や揺れ（振動）は確実に軽減できる。
【００３４】
他方、プレハブユニット３０の階段用空間にユニット階段を設置する施工上の問題、例えば、寸法誤差から生ずる工期の遅れ、施工コスト、外装工事の支障なども、階段用のユニット（１０、２０）を十分な隙間Ｓをもって設計できるため、すべて確実に解消できる。
【００３５】
また地震発生時には、階段用のユニット（１０、２０）の揺れは、エキスパンションジョイント３８を介して軽減されつつ外壁面３２に伝わるため、プハブユニット３０の構造強度を脅かすような破壊的な力は働かない。万一、非常に大きな揺れが生じてエキスパンションジョイント３８に破壊的な力が働いたとしても、支柱１１、２１そのものは外壁面３２と無関係に自立させてあるから、エキスパンションジョイント３８が破壊されるだけで外壁面３２にはそれ以上の力は働かず、プハブユニット３０は破壊（破損）を免れる。
【００３６】
尚、本発明に係る階段設置構造は、図示説明した構造に限定されない。例えば、階段用のユニット（１０、２０）を構成する支柱（１１、２１）の本数は四本でなくても良い。建物の階数や大きさ、あるいは階段の設計デザインに応じて本数を増やしても良いことは勿論である。
【００３７】
また階段用のユニット（１０、２０）は、支柱（１１、２１）の自立強度を保証できる限り、補強フレーム（１６、２６）は省略しても構わない。また建物の階数、大きさ、階段デザインに応じて補強フレーム（１６、２６）も必要強度を実現するよう適宜設計して構わない。より複雑にしても良いしシンプルにしても良い。輸送または設置時に必要な仮の補助材を設けても良い。
【００３８】
前記実施形態では、建物の中央部に階段設置用の凹部空間を設けて二つの階段用のユニット（１０、２０）を配したが、踊り場のユニット（２０）は必ずしも必要ではない場合もある。階段ユニット（１０）だけを外付けするタイプの住宅デザインもあるからである。この場合には、階段ユニット（１０）の四本の支柱（１１）のうち、外壁面（３２）に近い方の二本の支柱（１１）だけをエキスパンションジョイント（３８）を介して外壁面（３２）に連絡すればよい。
【００３９】
【発明の効果】
以上説明したように、本発明に係る階段設置構造によれば、ユニット階段に関する、作業性、居住性、安全性、経済性をバランスよく保証することが可能となる。
【図面の簡単な説明】
【図１】本発明に係るユニット階段の設置状態を平面から例示する図である。
【図２】本発明に係るユニット階段の設置例状態を正面から例示する図である。
【図３】本発明に係る階段ユニットを例示する図である。
【図４】本発明に係る踊り場のユニットを例示する図である。
【図５】プレハブユニットの一般的構造を例示する図である。
【図６】プレハブユニットを用いた住宅を例示する図である。
【図７】従来の階段構造を例示する第一の図である。
【図８】従来の階段構造を例示する第二の図である。
【符号の説明】
１０  階段ユニット
１１、２１  支柱
１２  階段本体
１４  手摺り
１６、２６  補強フレーム
１７、２７  枠材
２０  踊り場のユニット
２２  踊り場
２４  踊場用の枠材
２５  パネル材（鋼板等）
２９  フェンス
３０  プレハブユニット
３２  外壁面
３４  基礎コンクリート
３８  エキスパンションジョイント
Ｓ  隙間
【図１】
2004190303.tif 000003
【図２】
2004190303.tif 000004
【図３】
2004190303.tif 000005
【図４】
2004190303.tif 000006
【図５】
2004190303.tif 000007
【図６】
2004190303.tif 000008
【図７】
2004190303.tif 000009
【図８】
2004190303.tif 000010